(57)【要約】      （修正有）【課題】  人体用アース母線に対する作業台用のアース配線とリストストラップ用のアース配線の配線作業，検査作業を容易に行えるアース配線接続用端子板の提供。【解決手段】  第１接続端子対111,121と第２接続端子対114,124とを備える２つの端子板ユニット110,120を含み、第１接続端子対111,121と第２接続端子対114,124の各一方の接続端子112,115間、122,125間に抵抗素子Ｒを接続し、端子板ユニット110側の第１接続端子対111の他方の接続端子113に作業台用アース配線11aを接続し、第２接続端子対114の他方の接続端子116に人体用アース母線ＥＡを接続し、端子板ユニット120側の第１接続端子対121の他方の接続端子123にリストストラップ用のアース配線12aを接続し、端子板ユニット110側の第２接続端子対114の他方の接続端子116と端子板ユニット120側の第２接続端子対124の他方の接続端子126とをジャンパ線で接続する。【選択図】  図１
2006236900.tif 000002
【特許請求の範囲】
【請求項１】
電子部品組立用の作業台の第１アース配線と、上記作業台を使用する作業者に装着されるリストストラップの第２アース配線の少なくとも２本のアース配線を所定の抵抗素子を介して人体用アース母線に接続するアース配線接続用端子板において、
導通された１対の接続端子を含む第１接続端子対と導通された１対の接続端子を含む第２接続端子対とを備える端子板ユニットが少なくとも２個連設されており、
上記各端子板ユニットの上記第１接続端子対と上記第２接続端子対の各一方の接続端子間に上記抵抗素子が接続され、
上記一方の端子板ユニットの上記第１接続端子対の他方の接続端子に上記第１アース配線が接続され、上記一方の端子板ユニットの上記第２接続端子対の他方の接続端子に上記人体用アース母線が接続され、
上記他方の端子板ユニットの上記第１接続端子対の他方の接続端子に上記第２アース配線が接続され、上記他方の端子板ユニットの上記第２接続端子対の他方の接続端子と上記一方の端子板ユニットの上記第２接続端子対の他方の接続端子とがジャンパ線で接続されることを特徴とするアース配線接続用端子板。
【発明の詳細な説明】
【技術分野】
【０００１】
本発明は、静電気対策に用いられるアース配線接続用端子板に関し、さらに詳しく言えば、電子部品組立用の作業台と作業者に装着されるリストストラップの各アース配線を人体用アース母線に接続するアース配線接続用端子板に関するものである。
【背景技術】
【０００２】
電子部品を組み立てる際に、静電気はしばしば不良発生の原因となるため、その対策を講ずる必要がある。ＩＥＣ６１３４０などにそのガイドラインが示されているが、図３に組立作業場を模式的に示し、その静電気対策の一例について説明する。
【０００３】
作業者（図示省略）が使用する電子部品組立用の作業台１１は、抵抗素子Ｒを有するアース配線１１ａを介して人体用アース母線ＥＡに接続する。また、作業場（この例では作業台１１）には、抵抗素子Ｒを有するアース配線１２ａを介して人体用アース母線ＥＡに接続されたアース専用タップ１２ｂが設けられ、このアース専用タップ１２ｂにリストストラップ１２を接続する。作業者はリストストラップ１２を装着して組立作業を行う。アース配線１１ａ，１２ａの抵抗素子Ｒには例えば１ＭΩの抵抗が用いられる。
【０００４】
また、作業台１１上に置かれている半田こてなどの治具１３は、人体用アース母線ＥＭとは別に配線されている設備用アース母線ＥＢに接続する。床１０については、上記作業台１１やリストストラップ１２と同じく例えば１ＭΩの抵抗素子を有するアース配線１０ａ介して人体用アース母線ＥＡに接続することが好ましいとされている。
【発明の開示】
【発明が解決しようとする課題】
【０００５】
しかしながら、従来では作業台１１用のアース配線１１ａとリストストラップ１２用のアース配線１２ａとを別々に人体用アース母線ＥＡに接続しているため、その配線作業に手間がかかる。また、管理者は配線の接続状態を定期的に確認検査するが、接続個所が多いため、その検査作業が煩雑となる。
【０００６】
したがて、本発明の課題は、人体用アース母線に対する作業台用のアース配線とリストストラップ用のアース配線の接続個所を１個所にまとめることにより、配線作業および検査作業を容易に行えるようにすることにある。
【課題を解決するための手段】
【０００７】
上記課題を解決するため、本発明は、電子部品組立用の作業台の第１アース配線と、上記作業台を使用する作業者に装着されるリストストラップの第２アース配線の少なくとも２本のアース配線を所定の抵抗素子を介して人体用アース母線に接続するアース配線接続用端子板において、導通された１対の接続端子を含む第１接続端子対と導通された１対の接続端子を含む第２接続端子対とを備える端子板ユニットが少なくとも２個連設されており、上記各端子板ユニットの上記第１接続端子対と上記第２接続端子対の各一方の接続端子間に上記抵抗素子が接続され、上記一方の端子板ユニットの上記第１接続端子対の他方の接続端子に上記第１アース配線が接続され、上記一方の端子板ユニットの上記第２接続端子対の他方の接続端子に上記人体用アース母線が接続され、上記他方の端子板ユニットの上記第１接続端子対の他方の接続端子に上記第２アース配線が接続され、上記他方の端子板ユニットの上記第２接続端子対の他方の接続端子と上記一方の端子板ユニットの上記第２接続端子対の他方の接続端子とがジャンパ線で接続されることを特徴としている。
【発明の効果】
【０００８】
本発明によれば、抵抗素子は各端子板ユニットの第１接続端子対と第２接続端子対の各一方の接続端子間に接続すればよい。また、第１アース配線は一方の端子板ユニットの第１接続端子対の他方の接続端子に、人体用アース母線は一方の端子板ユニットの第２接続端子対の他方の接続端子に、第２アース配線は他方の端子板ユニットの第１接続端子対の他方の接続端子にそれぞれ接続するとともに、他方の端子板ユニットの第２接続端子対の他方の接続端子と一方の端子板ユニットの第２接続端子対の他方の接続端子とをジャンパ線で接続することにより、アース配線接続用端子板上で静電気対策上必要とされる配線作業を行うことができる。また、接続の確認検査もアース配線接続用端子板上で済ませることができる。
【発明を実施するための最良の形態】
【０００９】
次に、図１および図２により、本発明の実施形態について説明するが、本発明はこれに限定されるものではない。図１は本発明によるアース配線接続用端子板の一例を示す正面図，図２は別の例を示す正面図である。なお、静電気対策上必要とされるアース配線については、先に説明した図３を参照されたい。
【００１０】
図１を参照して、このアース配線接続用端子板１００は、同一構成の少なくとも２つの端子板ユニット１１０，１２０を備えている。一方の端子板ユニット１１０には、互いに導通された１対の接続端子１１２，１１３を含む第１接続端子対１１１と、互いに導通された１対の接続端子１１５，１１６を含む第２接続端子対１１４とが設けられている。
【００１１】
他方の端子板ユニット１２０には、互いに導通された１対の接続端子１２２，１２３を含む第１接続端子対１２１と、互いに導通された１対の接続端子１２５，１２６を含む第２接続端子対１２４とが設けられている。
【００１２】
なお、この実施形態の説明において、接続端子対に付けられている「第１」「第２」は説明の便宜上のものであって、請求項１中の「第１」「第２」とは必ずしも一致するものではない。また、図１の例において、各接続端子はネジ止め端子であるが、ワンタッチで着脱できるクリップ端子などであってもよい。
【００１３】
静電気対策を講ずるうえで、端子板ユニット１１０の第１接続端子対１１１の一方の接続端子１１２と、第２接続端子対１１４の一方の接続端子１１５との間に、例えば１ＭΩの抵抗素子Ｒを接続する。また、端子板ユニット１２０の第２接続端子対１２１の一方の接続端子１２２と、第２接続端子対１２４の一方の接続端子１２５との間にも、例えば１ＭΩの抵抗素子Ｒを接続する。
【００１４】
端子板ユニット１１０の第１接続端子対１１１の他方の接続端子１１３には、作業台１１用のアース配線１１ａを接続し、第２接続端子対１１４の他方の接続端子１１６には、人体用アース母線ＥＡを接続する。
【００１５】
端子板ユニット１２０の第２接続端子対１２４の他方の接続端子１２６には、リストストラップ１２用のアース配線１２ａを接続する。そして、端子板ユニット１１０の第２接続端子対１１４の他方の接続端子１１６と、端子板ユニット１２０の第１接続端子対１２１の他方の接続端子１２３とをジャンパ線Ｊ１で接続する。なお、ジャンパ線Ｊ１は接続端子１１６と接続端子１２２との間に接続してもよい。
【００１６】
これにより、作業台１１用のアース配線１１ａは、端子板ユニット１１０の第１接続端子対１１１→抵抗素子Ｒ→第２接続端子対１１４を介して人体用アース母線ＥＡに接続され、また、リストストラップ１２用のアース配線１２ａは、端子板ユニット１２０の第２接続端子対１２４→抵抗素子Ｒ→第１接続端子対１２１→ジャンパ線Ｊ１を介して人体用アース母線ＥＡに接続される。
【００１７】
図２は図３に示されている床１０のアース配線１０ａを人体用アース母線ＥＡに接続する場合の例で、この場合にはもう１つの端子板ユニット１３０が追加される。また、人体用アース母線ＥＡの接続個所が図１の例と異なっており、図２の例において、人体用アース母線ＥＡは端子ユニット１２０の第１接続端子対１２１の接続端子１２３側に接続され、その接続端子１２３と端子ユニット１１０の第２接続端子対１１４の接続端子１１６とがジャンパ線Ｊ１で接続されている。
【００１８】
端子板ユニット１３０も、互いに導通された１対の接続端子１３２，１３３を含む第１接続端子対１３１と、互いに導通された１対の接続端子１３５，１３６を含む第２接続端子対１３４とを備えている。
【００１９】
この端子板ユニット１３０においては、第１接続端子対１３１の一方の接続端子１３２と、第２接続端子対１３４の一方の接続端子１３５との間に、例えば１ＭΩの抵抗素子Ｒを接続する。第２接続端子対１３４の他方の接続端子１３６に、床１０用のアース配線１０ａを接続するとともに、第１接続端子対１３１の他方の接続端子１３２をジャンパ線Ｊ２を介して端子ユニット１２０の第１接続端子対１２１の接続端子１２３に接続する。
【００２０】
これにより、床１０用のアース配線１０ａは、第２接続端子対１３４→抵抗素子Ｒ→第１接続端子対１３１→ジャンパ線Ｊ２を介して人体用アース母線ＥＡに接続される。なお、床１０用のアース配線１０ａは人体用アース母線ＥＡに抵抗素子Ｒを介することなく直接的に接続されてもよく、その場合には、床１０用のアース配線１０ａをジャンパ線Ｊ２が接続されている第１接続端子対１３１の他方の接続端子１３２に接続すればよい。
【００２１】
以上説明したように、本発明によれば、アース配線接続用端子板１００上で人体用アース母線ＥＡに対して作業台１１用のアース配線１１ａ，リストストラップ１２用のアース配線１２ａおよび床１０用のアース配線１０ａを必要とする抵抗素子Ｒを介して接続することができる。したがって、静電気対策上必要とされる配線接続作業を短時間で行うことが可能となり、また、接続確認検査をも容易に行える。
【図面の簡単な説明】
【００２２】
【図１】本発明によるアース配線接続用端子板の一例を示す正面図。
【図２】本発明によるアース配線接続用端子板の別の例を示す正面図。
【図３】組立作業場での静電気対策の一例を示す模式的な斜視図。
【符号の説明】
【００２３】
１０  床
１１  作業台
１１ａ  作業台用のアース配線
１２  リストストラップ
１２ａ  リストストラップ用のアース配線
１００  アース配線接続用端子板
１１０，１２０，１３０  端子板ユニット
１１１，１２１，１３１  第１接続端子対
１１４，１２４，１３４  第２接続端子対
ＥＡ  人体用アース母線
Ｒ  抵抗素子
【図１】
2006236900.tif 000003
【図２】
2006236900.tif 000004
【図３】
2006236900.tif 000005